(57)【要約】【課題】  マッサージ具において、複数個の各ローラーを適切な押圧力で皮膚に密着させて転接させ、適切な揉みほぐし効果を得ること。【解決手段】  複数個のローラー２１、２２、２３が回転可能な状態で架台１０に支持され、架台１０がマッサージ進み方向に移動され、各ローラー２１、２２、２３が皮膚に押圧されつつ回転して転接されるマッサージ具１００であって、前記複数個のローラー２１、２２、２３のうちの少なくとも一部のローラー２２、２３がサスペンション４２、４３を介して架台１０に支持されるもの。【選択図】  図３
2019097855.tif 000002
【特許請求の範囲】
【請求項１】
複数個のローラーが回転可能な状態で架台に支持され、架台がマッサージ進み方向に移動され、各ローラーが皮膚に押圧されつつ回転して転接されるマッサージ具であって、
前記複数個のローラーのうちの少なくとも一部のローラーがサスペンションを介して架台に支持されているマッサージ具。
【請求項２】
前記複数個のローラーのうちの１つのローラーの回転軸線を含み、かつ架台の移動方向に直交する正面の正面視で、各ローラーにおける架台から遠い側に位置する頂点の高さが他のローラーと異なるローラーを有し、最も高い頂点と最も低い頂点との間に高さの差Ｈを有する請求項１に記載のマッサージ具。
【請求項３】
前記複数個のローラーのうちの一部のローラーがサスペンションを介さずに架台に支持される請求項１又は２に記載のマッサージ具。
【請求項４】
前記正面視で、サスペンションを介して架台に支持されたローラーの架台から遠い側に位置する頂点が最も高い頂点を形成し、サスペンションを介さずに架台に支持されたローラーの架台から遠い側に位置する頂点が最も低い頂点を形成する請求項３に記載のマッサージ具。
【請求項５】
前記サスペンションを複数個有し、反発力の強さを異にするサスペンションを有する請求項１乃至４のいずれかに記載のマッサージ具。
【請求項６】
前記サスペンションが一定の押圧力を発生したことを検知し、この検知結果を表示する検知表示手段を備える請求項１乃至５のいずれかに記載のマッサージ具。
【請求項７】
前記正面視で、該回転軸線を具備するローラーと、このローラーに隣接するローラーの各回転軸線が互いに一定の角度βを介して斜交配置される請求項１乃至６のいずれかに記載のマッサージ具。
【発明の詳細な説明】
【技術分野】
【０００１】
本発明はマッサージ具に関する。
【背景技術】
【０００２】
マッサージ具として、特許文献１に記載の如く、複数個のローラーが回転可能な状態で架台に支持され、架台がマッサージ進み方向に移動され、各ローラーが皮膚に押圧されつつ回転して転接され、皮膚、筋肉等に各ローラーの押圧力を作用させてマッサージするものがある。
【０００３】
特許文献１に記載のマッサージ具において、各ローラーは架台に直接的に支持されている。
【先行技術文献】
【特許文献】
【０００４】
【特許文献１】特開2005-205073号公報
【発明の概要】
【発明が解決しようとする課題】
【０００５】
マッサージ具にあっては、複数個のローラーの全てを一定の定荷重以上の適切な押圧力で皮膚に密着させつつ転接させることにより、所望の揉みほぐし効果を得ることができる。
【０００６】
しかしながら、特許文献１に記載のマッサージ具では、使用者が架台に加える押付操作力が直接各ローラーに伝わり、各ローラーの皮膚に対する押圧力となる。従って、使用者の使い方（押し方）によって押付操作力が相違するときには、各ローラーを必ずしも適切な押圧力で皮膚の各部に密着させることができない。
【０００７】
また、特許文献1に記載のマッサージ具では、顔や腕のように複雑に湾曲している皮膚の凹凸状体表部に各ローラーを転接させようとするとき、一部のローラーを皮膚の一部の体表部に密着させても、他のローラーが皮膚の他の体表部に密着しないことがある。従って、各ローラーを皮膚の凹凸状体表部の各部に沿うように追従させて、それらの皮膚に適切な押圧力で密着させることに困難がある。
【０００８】
本発明の課題は、マッサージ具において、複数個の各ローラーを適切な押圧力で皮膚に密着させて転接させ、適切な揉みほぐし効果を得ることにある。
【課題を解決するための手段】
【０００９】
請求項１に係る発明は、複数個のローラーが回転可能な状態で架台に支持され、架台がマッサージ進み方向に移動され、各ローラーが皮膚に押圧されつつ回転して転接されるマッサージ具であって、前記複数個のローラーのうちの少なくとも一部のローラーがサスペンションを介して架台に支持されるようにしたものである。
【発明の効果】
【００１０】
本発明によれば、マッサージ具において、複数個の各ローラーを適切な押圧力で皮膚に密着させて転接させ、適切な揉みほぐし効果を得ることができる。
【図面の簡単な説明】
【００１１】
【図１】図１は実施例１のマッサージ具をローラーの側から視て示す斜視図である。
【図２】図２はマッサージ具をローラーの側から視て示す平面図である。
【図３】図３はマッサージ具を示す正面図である。
【図４】図４はマッサージ具によるマッサージ作用を説明するための模式図である。
【図５】図５は実施例２のマッサージ具を示す正面図である。
【図６】図６は実施例３のマッサージ具を示す正面図である。
【図７】図７は実施例４のマッサージ具を示す正面図である。
【図８】図８は実施例５のマッサージ具をローラーの側から視て示す斜視図である。
【図９】図９はローラーの変形例を示し、（Ａ）は斜視図、（Ｂ）は正面図である。
【発明を実施するための形態】
【００１２】
（実施例１）（図１乃至図４）
本発明の実施例１に係るマッサージ具１００は、図１乃至図３に示す如く、架台１０に３個のローラー２０を回転可能な状態で支持する。３個のローラー２０は硬質もしくは軟質のプラスチック、又はゴム等の多少弾力性があり摩擦抵抗のある材料、あるいはステンレス、アルミニウム等の金属から構成できる。また、ローラー２０は、ステンレス、アルミニウム等の金属又はプラスチックが、白金、チタン、クロム等でメッキ又はコーティングされた構成とすることもできる。
【００１３】
本実施例において、３個のローラー２０は、１個の中央ローラー２１とその両側の２個の両側ローラー２２、２３からなる。各ローラー２１、２２、２３は、概ね球状、又は球状の同一形態からなるものとされ、具体的には、外径Ｄの球に内接する例えば３２面体の多面体をなすローラー面２５（多面体の１つ１つの面を指すものでなく、多面体の全部の面を含む表面を意味する）を備えるものとされている。但し、各ローラー２１、２２、２３は互いに同一形態をなすものであることを必須としない。
【００１４】
また、３個のローラー２０（２１、２２、２３）は、架台１０に設けた支持手段３０のそれぞれに支持され、それらの回転軸線２１Ｃ、２２Ｃ、２３Ｃまわりに回転可能に支持される。
【００１５】
マッサージ具１００は、使用者によって架台１０がマッサージ進み方向、即ち往復動方向に移動され、各ローラー２１、２２、２３が人の皮膚の表面に直接又は肌着を介して押圧されつつ、回転して転接され、マッサージに供される。使用者は、架台１０を片手で握ってマッサージするものに限らず、架台１０に取付け固定した柄を持って手の長さを越えた位置までマッサージすることもできる。
【００１６】
以下、マッサージ具１００が具備する特徴的構成とそれによるマッサージ作用を詳細に説明する。ここで、架台１０の移動方向Ｌに沿う方向をＸ方向（往動方向をＬ1、復動方向をＬ2とする）とし、ローラー２１の回転軸線２１Ｃに沿う方向をＹ方向とし、架台１０の移動方向Ｌに直交する方向をＺ方向とするように座標軸をとり、図２に示したＸＹ面を以下に述べる「平面」とし、図３に示したＹＺ面を以下に述べる「正面」とする。
【００１７】
尚、マッサージ具１００の架台１０における各ローラー２１、２２、２３の支持部３１、３２、３３が設けられる面に対する反対側の面（使用状態における上面）には、操作方向をわかりやすくするため、上記往動方向Ｌ1を示す矢印が設けられていても良い。
【００１８】
(a)マッサージ具１００において、中央ローラー２１を支持する支持手段３０は支持部３１によって構成される。即ち、中央ローラー２１は架台１０に固定した支持部３１に支持され、回転軸線２１Ｃまわりに回転可能に支持される。
【００１９】
また、ローラー２２、２３を支持する支持手段３０は支持部３２、３３及びサスペンション４２、４３によって構成される。即ち、ローラー２２、２３は、架台１０に植設されたサスペンション４２、４３に搭載される支持部３２、３３に支持され、回転軸線２２Ｃ、２３Ｃまわりに回転可能に支持される。
【００２０】
ここで、サスペンション４２、４３としては、スプリング、ショックアブソーバー等のダンパ、発泡体又はゴム等からなる反発部材、同一磁極（Ｎ極とＮ極又はＳ極とＳ極）を対向配置させた一対の磁石、エラストマー又はシリコン等の軟質樹脂等、押込変位を付与されたときにその変位量に相当する反発力を生じて変形復元性を有するものを採用できる。
【００２１】
本実施例では、架台１０に設けた凹所に植設したコイルスプリングにてサスペンション４２、４３を形成し、それらのサスペンション４２、４３の押込み端で支持部３２、３３が架台１０に当接してその押込変位量が規制される。
【００２２】
マッサージ具１００にあっては、３個のローラー２１、２２、２３のうちの中央ローラー２１がサスペンションを介さずに架台１０に支持され、２個の両側ローラー２２、２３がサスペンション４２、４３を介して架台１０に支持される。
【００２３】
これにより、サスペンション４２、４３を介して支持されているローラー２１、２３にあっては、使用者が架台１０に加える押付操作力がサスペンション４２、４３を介して当該ローラー２２、２３に伝わるものになる。このとき、サスペンション４２、４３は、その変形量（架台１０に対する支持部２２、２３の変位量）に基づく反発力を皮膚に対する押圧力として当該皮膚に作用させるとともに、その押圧力に対応する押圧反力を吸収する。従って、使用者の使い方（押し方）によって、押付操作力が相違するときにも、各ローラー２２、２３の皮膚に対する押圧力がサスペンション４２、４３の介在によって概ね一様化され、各ローラー２２、２３をそれぞれ適切な押圧力で皮膚の各部に密着させつつ転接させることができ、それらの皮膚や筋肉に適切な揉みほぐし効果を与える。
【００２４】
また、マッサージ具１００の各ローラー２１、２２、２３を、顔や腕のように複雑に湾曲している皮膚に転接させようとするとき、サスペンション４２、４３を介して支持されているローラー２２、２３にあっては、皮膚の凸状体表部に対する転接時にはサスペンション４２、４３を収縮させ、皮膚の凹状体表部に対する転接時にはサスペンション４２、４３を伸長させる。これにより、各ローラー２２、２３を皮膚の凹凸状体表部の各部に沿うように追従させて、それらの皮膚にある程度適切な押圧力で密着させつつ転接させることができ、それらの皮膚や筋肉に適切な揉みほぐし効果を与える。
【００２５】
(b)マッサージ具１００は、１つのローラー２０、本実施例では中央ローラー２１の回転軸線２１Ｃを含み、かつ架台１０の移動方向Ｌに直交する正面（ＹＺ面）の正面視（図３）で、サスペンション４２、４３が適度な変形量を生ずるように各ローラー２１、２２、２３が皮膚の各部に押付けられた使用状態で、３個の各ローラー２１、２２、２３のローラー面２５における架台１０から遠い側に位置する頂点Ｚ1、Ｚ2、Ｚ3の高さが他のローラーと異なるローラーを有する。本実施例では、両側ローラー２２、２３のローラー面２５の頂点Ｚ2、Ｚ3が最も高い頂点を形成し、中央ローラー２１のローラー面２５の頂点Ｚ1が最も低い頂点を形成し、それらの頂点Ｚ1と頂点Ｚ2、Ｚ3の間に高さの差Ｈを有するものとしている。
【００２６】
これにより、マッサージ具１００が移動され、各ローラー２１、２２、２３が複雑に湾曲して凹凸状をなす皮膚の各部を押圧しつつ回転するとき、各ローラー２１、２２、２３のローラー面２５はそれらの頂点Ｚ1、Ｚ2、Ｚ3を対応する皮膚の凹凸状体表部の各部に強く密着して転接し、各ローラー２１、２２、２３の押圧力を当該皮膚の体表部に作用する。従って、各ローラー２１、２２、２３はそれらの皮膚や筋肉に前述(a)の押圧力を確実に作用させ、それらの皮膚や筋肉に適切な揉みほぐし効果を与える。
【００２７】
ここで、上記Ｈは、適正な揉みほぐし効果及び皮膚への密着性の観点から、好適には３乃至１２mmとする。
【００２８】
(c)マッサージ具１００は、複数個のローラー２１、２２、２３のうちの一部のローラー、本実施例ではローラー２１がサスペンション４２、４３を介さずに架台１０に支持される。使用者は、架台１０に押付操作力を加えて各ローラー２１、２２、２３を皮膚の各部に押し付けようとするとき、サスペンション４２、４３を介していないローラー２１を皮膚に先ず最初に適度に押圧して密着させる押付基準ローラーとして機能させるものとする。押付基準ローラー２１を皮膚に上述の如くに適度に押圧して密着させた架台１０との間に他のローラー２２、２３を支持するサスペンション４２、４３は、それらのサスペンション４２、４３が自然に適度な変形量を生ずるように予め適度な反発力の強さを付与されている。従って、使用者が架台１０に加える押付操作力によって押付基準ローラー２１を皮膚に密着させることで、それらのサスペンション４２、４３は、適度な変形量を直ちに生じ、ひいてはこの変形量に基づく適度な反発力を皮膚に対する押圧力として当該皮膚に作用させる。従って、各ローラー２１、２２、２３をそれぞれ容易に、適切な押圧力で皮膚の各部に密着させつつ転接させることができる。
【００２９】
(d)マッサージ具１００では、前述(b)、(c)において、架台１０から最も高い頂点Ｚ2、Ｚ3を形成するローラー２２、２３がサスペンション４２、４３を介して架台１０に支持され、最も低い頂点Ｚ1を形成するローラー２１がサスペンションを介さずに架台１０に支持された。これにより、サスペンションを介さずに架台１０に支持されていて、最も低い頂点Ｚ1を形成するローラー２１を、上述(c)における押付基準ローラーとして確実かつ容易に機能させ得るものになり、マッサージ具１００に加える力加減や動かし方が容易になる。
【００３０】
(e)マッサージ具１００では、サスペンション４２、４３を介して架台１０に支持される２個のローラー２２、２３を有するに対し、サスペンション４２とサスペンション４３に備えさせる反発力の強さを互いに異にするものとしている。これにより、１つのマッサージ具１００の使用部位に応じてそれらのローラー２２、２３が皮膚に作用する押圧力を異なるものにし、マッサージの施術力を変えることができる。例えば頬部を使用部位とするサスペンション４２、４３の反発力の強さは２０Ｎとし、額部を主要部位とするサスペンション４２、４３の反発力の強さは１０Ｎとする。
【００３１】
(f)マッサージ具１００は、サスペンション４２、４３が一定の押圧力を発生したことを検知し、この検知結果を音、光等により表示する検知表示手段５０を架台１０に備えることができる。使用者は、検知表示手段５０により、サスペンション４２、４３が所望の揉みほぐし効果を得るに必要な定荷重以上の適切な押圧力を発現したことを簡易に認識できる。
【００３２】
マッサージ具１００は、更に以下の如くの特徴的構成を具備する。
(g)マッサージ具１００は、図１乃至図４に示す如く、１つのローラー２０の回転軸線、本実施例では中央ローラー２１の回転軸線２１Ｃを含み、かつ架台１０の移動方向Ｌに沿う平面（ＸＹ面）の平面視（図２）で、両側ローラー２２、２３が中央ローラー２１の両側に線対称をなすように配置され、該回転軸線２１Ｃを具備するローラー２１と、このローラー２１に隣接するローラー２２（又は２３）の各回転軸線２１Ｃ、２２Ｃ（又は２３Ｃ）が互いに一定の角度αを介して斜交配置されるものとした。尚、隣接するローラーの斜交角度αはマッサージ具１００の往動方向Ｌ1に対する反対側に臨んで鈍角をなしている。
【００３３】
これにより、マッサージ具１００が図４（Ａ）に示す往動方向Ｌ1に移動され、各ローラー２１、２２、２３が皮膚の各部を押圧しつつ正方向へ回転するとき、当該皮膚の体表部には各ローラー２１、２２、２３の押圧力が作用するとともに正方向への回転力Ｎ1a、Ｎ1bが作用する。このとき、隣接するローラー２１、２２（又は２３）のそれぞれが転接する皮膚に作用する正方向の回転力Ｎ1a、Ｎ1bは、各ローラー２１、２２（又は２３）の斜交角度αの存在によって、両ローラー２１、２２（又は２３）の中央側に向けて接近する方向へ向き、それらの皮膚や筋肉を互いに接近させるように絞る絞り込み力Ｆ1a、Ｆ1bとなって作用する。
【００３４】
また、マッサージ具１００が図４（Ｂ）に示す復動方向Ｌ2に移動され、各ローラー２１、２２、２３が皮膚の各部を押圧しつつ逆方向へ回転するとき、当該皮膚の体表部には各ローラー２１、２２、２３の押圧力が作用するとともに逆方向への回転力Ｎ2a、Ｎ2b（Ｎ1a、Ｎ1bに対する反対方向）が作用する。このとき、隣接するローラー２１、２２（又は２３）のそれぞれが転接する皮膚に作用する逆方向の回転力Ｎ2a、Ｎ2bは、各ローラー２１、２２（又は２３）の斜交角度αの存在によって、両ローラー２１、２２（又は２３）の中央側から離隔する方向へ向き、それらの皮膚や筋肉を互いに離間させるように引張る引張力Ｆ2a、Ｆ2bとなって作用する。
【００３５】
即ち、マッサージ具１００は、上述の往動により、もしくは復動により、又は往復動により、各ローラー２１、２２、２３が転接する皮膚や筋肉に押圧力を作用するとともに、隣接するローラー２１、２２（又は２３）が転接する皮膚や筋肉に絞り込み力Ｆ1a、Ｆ1bを作用し、もしくは引張力Ｆ2a、Ｆ2bを作用し、又は絞り込み力Ｆ1a、Ｆ1bと引張力Ｆ2a、Ｆ2bを交互に作用し、結果として、皮膚や筋肉に揉みほぐし効果を与える。
【００３６】
ここで、上記αは、皮膚への密着性及び適正な絞り込み力Ｆ1a、Ｆ1bの観点から、好適には１２０乃至１７０度である。
【００３７】
(h)マッサージ具１００は、図３に示す如く、前記正面（ＹＺ面）の正面視（図３）で、両側ローラー２２、２３が中央ローラー２１の両側に線対称をなすように配置され、該ローラー２１と、このローラー２１に隣接するローラー２２（又は２３）の各回転軸線２１Ｃ、２２Ｃ（又は２３Ｃ）が互いに一定の角度βを介して斜交配置される。
【００３８】
これにより、マッサージ具１００が移動され、各ローラー２１、２２、２３が複雑に湾曲している皮膚の各部を押圧しつつ回転するとき、各ローラー２１、２２、２３はそれらの回転軸線２１Ｃ、２２Ｃ、２３Ｃのそれぞれを対応する皮膚の各部に対して概ね平行又は可及的に平行配置して当該皮膚の体表部に強く密着して転接し、各ローラー２１、２２、２３の押圧力及び回転力を当該皮膚の体表部に作用する。従って、各ローラー２１、２２、２３がそれらの皮膚や筋肉に前述(a)の押圧力並びに絞り込み力Ｆ1a、Ｆ1b及び／又は引張力Ｆ2a、Ｆ2bを効果的に作用し、それらの皮膚や筋肉に強い揉みほぐし効果を与える。
【００３９】
ここで、上記βは、適正な絞り込み力Ｆ1a、Ｆ1b及び皮膚への密着性の観点から、好適には２０乃至４０度である。
【００４０】
(i)マッサージ具１００は、前記平面（ＸＹ面）の平面視（図２）で、サスペンション４２、４３が適度な変形量を生ずるように各ローラー２１、２２、２３が皮膚の各部に押付けられた使用状態で、隣接するローラー２１、２２、２３の各ローラー面２５が単一の曲率半径Ｒ1をなす円弧２６に接するように配置される。
【００４１】
これにより、マッサージ具１００が移動され、各ローラー２１、２２、２２が複雑に湾曲している皮膚の各部を押圧しつつ回転するとき、各ローラー面２３が単一の曲率半径Ｒ1をなす円弧２６に接するように配置された各ローラー２１、２２、２２が皮膚の各部に対して強く密着して転接し、各ローラー２１、２２、２２の押圧力及び回転力を当該皮膚の体表部に作用する。従って、各ローラー２１、２２、２２がそれらの皮膚や筋肉に前述(a)の押圧力並びに絞り込み力Ｆ1a、Ｆ1b及び／又は引張力Ｆ2a、Ｆ2bを効果的に作用し、それらの皮膚や筋肉に強い揉みほぐし効果を与える。
【００４２】
ここで、上記Ｒ1は、皮膚への密着性及び適正な絞り込み力Ｆ1a、Ｆ1bの観点から、好適には１０乃至６０mmとする。
【００４３】
(j)マッサージ具１００は、前記正面（ＹＺ面）の正面視（図３）で、サスペンション４２、４３が適度な変形量を生ずるように各ローラー２１、２２、２３が皮膚の各部に押付けられた使用状態で、隣接するローラー２１、２２、２３の各ローラー面２５が単一の曲率半径Ｒ2をなす円弧２７に接するように配置される。
【００４４】
これにより、各ローラー２１、２２、２３が皮膚の概ね円弧状をなす湾曲面の広い範囲に同時に密着して転接し、上述(ｇ)乃至(i)の作用を効果的に得ることができる。
【００４５】
ここで、上記Ｒ2は、適正な絞り込み力Ｆ1a、Ｆ1b及び皮膚への密着性の観点から、好適には２０乃至８０mmとする。
【００４６】
(k)マッサージ具１００は、前記ローラー２１、２２、２３のローラー面２５が外径Ｄの球に内接する多面体からなる。
【００４７】
これにより、各ローラー２１、２２、２３の概ね球状をなすローラー面２５が皮膚や筋肉に対する押圧効果を高める。各ローラー２１、２２、２３の多面体をなすローラー面２５のエッジ部２５Ｅは皮膚や筋肉に対する絞り込み力Ｆ1a、Ｆ1b又は引張力Ｆ2a、Ｆ2bを高めるとともに、皮膚の組織に刺激を与え、マッサージ効果を高める。
【００４８】
ここで、上記Ｄは、適正な範囲での押圧効果を得るため、好適には１５乃至４０mmとする。
【００４９】
(l)マッサージ具１００は、適正な範囲での絞り込み効果及び適正な絞り込み力Ｆ1a、Ｆ1bの観点から、前記隣接するローラー２１、２２（又は２３）の最短間隔Ｇを好適には３乃至１５mmとする。
【００５０】
（実施例２）（図５）
実施例２のマッサージ具１００が、実施例１のマッサージ具１００と実質的に異なる点は、中央ローラー２１が支持部３１及びサスペンション４１を介して架台１０に支持されるようにしたことにあり、３個のローラー２１、２２、２３の全てがサスペンション４１、４２、４３を介して架台１０に支持されている。
【００５１】
また、実施例２のマッサージ具１００にあっても、実施例１のマッサージ具１００と概ね同様に、中央ローラー２１の回転軸線２１Ｃを含み、かつ架台１０の移動方向Ｌに直交する正面（ＹＺ面）の正面視（図５）で、サスペンション４１、４２、４３が適度な変形量を生ずるように各ローラー２１、２２、２３が皮膚の各部に押付けられた使用状態で、３個の各ローラー２１、２２、２３のローラー面２５における架台１０から遠い側に位置する頂点Ｚ1、Ｚ2、Ｚ3の高さが他のローラーと異なるローラーを有する。本実施例では、両側ローラー２２、２３のローラー面２５の頂点Ｚ2、Ｚ3が最も高い頂点を形成し、中央ローラー２１のローラー面２５の頂点Ｚ1が最も低い頂点を形成し、それらの頂点Ｚ1と頂点Ｚ2、Ｚ3の間に高さの差Ｈを有するものとしている。
【００５２】
尚、実施例２のマッサージ具１００にあっては、サスペンション４１、４２、４３の反発力の強さに関し、それらの３個の各サスペンションにおける反発力の強さを互いに同じにしても良く、それらの３個のうちの２個のサスペンションにおける反発力の強さを互いに同じにしても良く、又はそれらの３個のサスペンションにおける反発力の強さを互いに異にしても良い。
【００５３】
（実施例３）（図６）
実施例３のマッサージ具１００が、実施例１のマッサージ具１００と実質的に異なる点は、各ローラー２１、２２、２３を輪環状（ドーナツ状）からなるものとしたことにある。
【００５４】
（実施例４）（図７）
実施例４のマッサージ具１００が、実施例３のマッサージ具１００と実質的に異なる点は、各ローラー２１、２２、２３がそれらを回転可能に支持する各支持部３１、３２、３３に内蔵した各サスペンション４１、４２、４３を介して架台１０に支持されるものとしたことにある。即ち、各ローラー２１、２２、２３の両側に突設させた回転軸２１Ｓ、２２Ｓ、２３Ｓが、架台１０に対して接離方向に変位可能、かつ回転可能に各支持部３１、３２、３３に支持されるとともに、各支持部３１、３２、３３に内蔵した各サスペンション４１、４２、４３の反発力を受けて架台１０から離隔する方向に常時付勢される。
【００５５】
（実施例５）（図８）
実施例５のマッサージ具１００が、実施例１のマッサージ具１００と実質的に異なる点は、架台１０に把手１１を備えたこと、及び架台１０に各サスペンション４１、４２、４３、４４を介して４個のローラー２１、２２、２３、２４を支持したことにある。各サスペンション４１、４２、４３、４４は、各ローラー２１、２２、２３、２４を回転可能に支持する各支持部３１、３２、３３、３４と、架台１０との間に介装される。
【００５６】
各ローラー２１、２２、２３、２４は、輪環状をなし、凹凸状ローラー面２５を備える。また、各ローラー２１、２２、２３、２４は、回転軸方向の長さが、その直交方向の長さより長く形成されている。
【００５７】
図９に示したローラー２０は、輪環状をなし、凹凸状ローラー面２５を備える。凹凸状ローラー面２５は、５個の凸部２５Ａを周方向に一定の間隔を介した外周面の各部に備えるものとされている。
【００５８】
尚、マッサージ具１００は、３個又は４個のローラー２０を有するものに限らず、２個以上の複数個のローラー２０を有し、その少なくとも一部のローラー２０がサスペンションを介して架台に支持されるものであれば良い。また、マッサージ具１００を構成する各ローラー２０のローラー面２５は、多面体をなすものに限らず、球面体をなすものであっても良い。
【産業上の利用可能性】
【００５９】
本発明によれば、マッサージ具において、複数個の各ローラーを適切な押圧力で皮膚に密着させて転接させ、適切な揉みほぐし効果を得ることができる。
【符号の説明】
【００６０】
１００  マッサージ具
１０  架台
２０、２１、２２、２３、２４  ローラー
２１Ｃ、２２Ｃ、２３Ｃ  回転軸線
２５  ローラー面
２６、２７  円弧
４１、４２、４３、４４  サスペンション
５０  検知表示手段
【図１】
2019097855.tif 000003
【図２】
2019097855.tif 000004
【図３】
2019097855.tif 000005
【図４】
2019097855.tif 000006
【図５】
2019097855.tif 000007
【図６】
2019097855.tif 000008
【図７】
2019097855.tif 000009
【図８】
2019097855.tif 000010
【図９】
2019097855.tif 000011